(57)【要約】【課題】  配電線を引き込めない箇所にも設置することでき、しかも、電池交換時、電力量計の計量値情報を途絶えさせることなく出力させることができるパルス検出器を提供する。【解決手段】  リチウム電池２１は、電源供給線３０を介して各部へ動作電源を供給する。出力配線２６ａ，２６ｂは、各一端が、リチウム電池２１の＋出力端子，−出力端子に直接接続され、各他端がコネクタ２７に接続されている。コネクタ２７は、各コネクタ２２ａ，２２ｂの一方側の端子に着脱自在に構成されている。各コネクタ２２ａ，２２ｂは、リチウム電池２１の出力配線２６ａ，２６ｂがコネクタ２７を介して着脱自在に接続される一方側の端子、および、回路基板１１に形成された配線パターンを介して電源供給線３０に接続された他方側の端子を有する。【選択図】  図２
2020112361.tif 000002
【特許請求の範囲】
【請求項１】
計量値に比例したパルスを電力量計から入力するパルス入力部と、パルス入力部を介して入力されたパルスの数を計数して前記電力量計の計量値情報を取得する計量値情報取得部と、計量値情報取得部で取得された計量値情報を無線で送出する無線送出部とを備えたパルス検出器において、
動作電源を供給する電池と、電池の出力配線が着脱自在に接続される一方側の端子および電源供給線に接続された他方側の端子を有する複数のコネクタとを備えることを特徴とするパルス検出器。
【請求項２】
各前記コネクタの他方側の前記端子および前記電源供給線間に設けられた電池出力の逆流を防ぐダイオードと、ダイオードを介して前記電源供給線に与えられる電池出力の電圧を所定電圧に昇圧する昇圧回路とを備えることを特徴とする請求項１に記載のパルス検出器。
【請求項３】
電池を収容する電池ホルダを備え、前記出力配線は、一端が電池の出力端子に接続され、他端が前記コネクタの一方の前記端子に接続された状態で電池を前記電池ホルダに着脱させることができる長さを有することを特徴とする請求項１または請求項２に記載のパルス検出器。
【発明の詳細な説明】
【技術分野】
【０００１】
本発明は、計量値に比例したパルスを電力量計から入力して電力量計の計量値情報を取得し、無線で送出するパルス検出器に関するものである。
【背景技術】
【０００２】
従来、このようなパルス検出器としては、例えば、特許文献１の図６および図７に開示されたパルス検出装置がある。このパルス検出装置は、パルス検出部により、取引用電力量計からパルス信号線を介して送出されるパルスを非接触で検出する。パルス検出器本体部には交流電力が供給され、パルス検出器本体部に備えられたＡＣ電源回路で交流電力が直流電力に変換される。パルス検出器本体部は変換されたこの直流電力で動作し、検出したパルス信号を増幅して、適当なパルス数に変換する。変換されたパルス数は、パルス検出器本体部に専用ケーブルを介して接続されたデマンド監視装置へ伝送される。デマンド監視装置は、伝送されるパルス数を利用して使用電力量を演算し、必要に応じて警報を発する。
【先行技術文献】
【特許文献】
【０００３】
【特許文献１】特開２００７−１０４８９号公報
【発明の概要】
【発明が解決しようとする課題】
【０００４】
しかしながら、上記従来のパルス検出器は、交流電力が供給されて動作するため、交流電源を取り込む配電線を引き込めない箇所では、使用することができない。また、配電線を引き込むことは可能でも、引き込み作業に費用を要したり等して、費用面等からパルス検出器に配電線を引き込むことが困難な場合もある。このような場合、パルス検出器の動作電源を電池にして、パルス検出器を電池駆動にすることが考えられる。しかし、電池駆動にすると、一定期間で電池が消耗することから、定期的に電池交換をする必要がある。この場合、電池交換時にパルス検出器の電源が失われ、電力量計から絶えず出力されるパルスの計数値のデマンド監視装置への伝送が途切れてしまう。
【課題を解決するための手段】
【０００５】
本発明はこのような課題を解決するためになされたもので、
計量値に比例したパルスを電力量計から入力するパルス入力部と、パルス入力部を介して入力されたパルスの数を計数して電力量計の計量値情報を取得する計量値情報取得部と、計量値情報取得部で取得された計量値情報を無線で送出する無線送出部とを備えたパルス検出器において、
動作電源を供給する電池と、電池の出力配線が着脱自在に接続される一方側の端子および電源供給線に接続された他方側の端子を有する複数のコネクタとを備えることを特徴とする。
【０００６】
本構成によれば、パルス検出器は電池を動作電源とするため、従来のように交流電力をパルス検出器に供給するために、配電線をパルス検出器に引き込む必要がなくなる。このため、配電線をパルス検出器に引き込めない箇所にも、パルス検出器を設置することが可能になる。また、パルス検出器に配電線を引き込む必要がなくなることから、パルス検出器に配電線を引き込む費用等は発生しないので、費用面等からパルス検出器を設置することが困難であった場合でも、パルス検出器を設置することが可能になる。
【０００７】
また、電池の出力配線が着脱自在に接続される複数のコネクタを備えるため、電池交換時、複数のコネクタに同時に古い電池と新しい電池とをそれぞれの出力配線を介して接続してから、古い電池の出力配線をコネクタから抜き去ることで、パルス検出器の動作電源を失うことなく、電池交換をすることが可能になる。このため、電力量計から絶えず出力されるパルスから取得される電力量計の計量値情報は、電池交換時途絶えることなくパルス検出器から出力される。
【０００８】
また、本発明は、各コネクタの他方側の端子および電源供給線間に設けられた電池出力の逆流を防ぐダイオードと、ダイオードを介して電源供給線に与えられる電池出力の電圧を所定電圧に昇圧する昇圧回路とを備えることを特徴とする。
【０００９】
本構成によれば、電池出力の逆流を防ぐダイオードを各コネクタの他方側の端子および電源供給線間に備えることで、電池交換時、新しい電池から古い電池へ電流が流れなくなる。このため、電池交換時、古い電池が新しい電池によって充電されるのが防止される。また、ダイオードを介して電源供給線に与えられる電池出力の電圧を所定電圧に昇圧する昇圧回路を備えることで、電池出力の電圧がダイオードにおいて降下しても、昇圧回路によって所定電圧に昇圧される。このため、ダイオードを備えることによって生じる、パルス検出器の動作電源電圧の低下を防ぐことができる。
【００１０】
また、本発明は、電池を収容する電池ホルダを備え、電池の出力配線が、一端が電池の出力端子に接続され、他端がコネクタの一方側の端子に接続された状態で電池を電池ホルダに着脱させることができる長さを有することを特徴とする。
【００１１】
本構成によれば、電池交換時、古い電池の出力配線をコネクタに接続させたままの状態で、古い電池を電池ホルダから取り出し、新しい電池の出力配線をコネクタに接続させたままの状態で、新しい電池を電池ホルダに収容させることができる。このため、電池交換の作業性が向上する。
【発明の効果】
【００１２】
本発明によれば、配電線をパルス検出器に引き込めない箇所や、費用面等からパルス検出器に配電線を引き込むことが困難な場合にも、パルス検出器を設置することが可能になる。しかも、電池交換時、電力量計の計量値情報を途絶えさせることなく、パルス検出器から出力させることができる。
【図面の簡単な説明】
【００１３】
【図１】本発明の一実施の形態によるパルス検出器を用いて構成される電力管理システムの概略構成図である。
【図２】本発明の一実施の形態によるパルス検出器内部の概略構成を示すブロック図である。
【図３】一実施の形態によるパルス検出器を構成する電源部の変形例を示すブロック図である。
【発明を実施するための形態】
【００１４】
次に、本発明によるパルス検出器を実施するための形態について説明する。
【００１５】
図１は、本発明の一実施の形態によるパルス検出器１を用いて構成される電力管理システムの概略構成を示す図である。
【００１６】
電力管理システムは、電柱２に設置されたパルス検出器１および電子式電力量計３と、電柱２から離れた場所におけるキュービクル４内に設置された受信器５およびデマンド監視装置６とから構成される。電力量計３はキュービクル４が設置された需要家の使用電力量を計量し、計量値に応じたパルスをサービスパルスとして、その端子に接続されたパルス検出線７へ出力する。パルス検出器１は、パルス検出線７を貫通させたＣＴ（変流器）８をその検出器本体とは別体に備えており、ＣＴ８で検出されるパルス検出線７を流れるパルス信号をケーブル９を介して取り込む。
【００１７】
パルス検出器１は、取り込んだパルス信号を基に電力量計３で計量される需要家の計量値情報を取得し、無線信号にして送信する。キュービクル４内に設置された受信器５はその無線信号を受信して、前回受信した計量値情報との差分をデマンド監視装置６へパルス信号として出力する。デマンド監視装置６は受信器５から入力されるパルス信号を基に需要家の使用電力量を把握し、把握した使用電力量に応じて警報を発したり、需要家における負荷の制御を行う。
【００１８】
図２は、パルス検出器１の内部の概略構成を示すブロック図である。パルス検出器１は、回路基板１１が図示しない筐体に内蔵されて構成されている。回路基板１１には、パルス入力部１２、計量値情報取得部１３、無線送信部１４、および電源部１５が実装されている。
【００１９】
パルス入力部１２には、パルス検出線７を流れるサービルパルスのパルス信号、つまり、計量値に比例したパルス信号が、ケーブル９を介して電力量計３から入力される。計量値情報取得部１３は、パルス入力部１２を介して入力されるパルス信号のパルス数を計数して、その積算値を電力量計３の計量値情報として取得する。無線送信部１４には、筐体の外部に露出したアンテナ１６が接続されている。無線送信部１４は、アンテナ１６と共に無線送出部を構成し、計量値情報取得部１３で取得されたパルス数の積算値を無線信号にして、アンテナ１６から受信器５へ送出する。計量値情報取得部１３および無線送信部１４はマイクロコンピュータ等から形成され、無線モジュールとして回路基板１１に実装されている。
【００２０】
電源部１５は、リチウム電池２１、２つのコネクタ２２ａ，２２ｂ、２つのダイオード２３ａ，２３ｂ、および昇圧回路２４を備えて構成されている。
【００２１】
リチウム電池２１は、例えば単一形の３[Ｖ]出力の乾電池であり、その両端に＋出力端子および−出力端子を有する。このリチウム電池２１は、回路基板１１に設けられた電池ホルダ２５に収容されており、電源供給線３０を介して各部へ動作電源を供給する。出力配線２６ａ，２６ｂは、各一端が、リチウム電池２１の＋出力端子，−出力端子に直接接続され、各他端がコネクタ２７に接続されている。コネクタ２７は、各コネクタ２２ａ，２２ｂの一方側の端子に着脱自在に構成されており、各コネクタ２２ａ，２２ｂの一方側の端子に着脱されることで、出力配線２６ａ，２６ｂの各他端を各コネクタ２２ａ，２２ｂの一方側の端子に着脱させる。
【００２２】
同図では、コネクタ２７は、コネクタ２２ａの一方側の端子に接続されており、出力配線２６ａ，２６ｂの各他端をコネクタ２２ａの一方側の端子に接続させている。リチウム電池２１の出力配線２６ａ，２６ｂは、一端がリチウム電池２１の＋出力端子，−出力端子に接続され、他端が各コネクタ２２ａ，２２ｂの一方側の端子に接続された状態で、リチウム電池２１を電池ホルダ２５に着脱させることができる長さを有する。
【００２３】
各コネクタ２２ａ，２２ｂは、リチウム電池２１の出力配線２６ａ，２６ｂがコネクタ２７を介して着脱自在に接続される一方側の端子、および、回路基板１１に形成された配線パターンを介して電源供給線３０に接続された他方側の端子を有する。各コネクタ２２ａ，２２ｂの一方側の端子および他方側の端子はそれぞれ＋側と−側とで一対あり、一方側の端子および他方側の端子間は＋側と−側とでそれぞれ短絡されている。
【００２４】
ダイオード２３ａ，２３ｂは、各コネクタ２２ａ，２２ｂの他方側の端子および電源供給線３０間に設けられており、リチウム電池２１の電池出力の逆流を防ぐ。また、昇圧回路２４は、ダイオード２３ａ，２３ｂを介して電源供給線３０に与えられるリチウム電池２１の電池出力の電圧を所定電圧、例えば３[Ｖ]に昇圧する機能を有する。
【００２５】
このような本実施形態によれば、パルス検出器１はリチウム電池２１を動作電源とするため、従来のように交流電力をパルス検出器に供給するために、配電線をパルス検出器１に引き込む必要がなくなる。このため、配電線をパルス検出器１に引き込めない箇所にも、パルス検出器１を設置することが可能になる。また、パルス検出器１に配電線を引き込む必要がなくなることから、パルス検出器１に配電線を引き込む費用等は発生しないので、費用面等からパルス検出器１を設置することが困難であった場合でも、パルス検出器１を設置することが可能になる。
【００２６】
また、本実施形態のパルス検出器１によれば、リチウム電池２１の出力配線２６ａ，２６ｂが着脱自在に接続される複数のコネクタ２２ａ，２２ｂを備えるため、リチウム電池２１の電池交換時、２つのコネクタ２２ａ，２２ｂに同時に古いリチウム電池２１と新しいリチウム電池２１とをそれぞれの出力配線２６ａ，２６ｂを介して接続してから、古いリチウム電池２１の出力配線２６ａ，２６ｂをコネクタ２２ａから抜き去ることで、新しいリチウム電池２１の電池出力がその出力配線２６ａ，２６ｂおよびコネクタ２２ｂを介して引き続いて電源供給線３０へ与えられる。このため、パルス検出器１の動作電源を失うことなく、リチウム電池２１の電池交換をすることが可能になる。このため、電力量計３から絶えず出力されるパルスから取得される電力量計３の計量値情報は、リチウム電池２１の電池交換時に途絶えることなくパルス検出器１から受信器５へ出力される。
【００２７】
また、本実施形態のパルス検出器１によれば、電池出力の逆流を防ぐダイオード２３ａ，２３ｂを各コネクタ２２ａ，２２ｂの他方側の端子および電源供給線３０間に備えることで、リチウム電池２１の電池交換時、新しいリチウム電池２１から古いリチウム電池２１へ電流が流れなくなる。このため、電池交換時、容量が大きく減っている古いリチウム電池２１が新しいリチウム電池２１によって充電されるのが防止される。また、ダイオード２３ａ，２３ｂを介して電源供給線３０に与えられる電池出力の電圧を例えば３[Ｖ]の所定電圧に昇圧する昇圧回路２４を備えることで、電池出力の電圧がダイオード２３ａ，２３ｂにおいて例えばその順方向電圧分の０．３[Ｖ]降下しても、昇圧回路２４によって例えば３[Ｖ]の所定電圧に昇圧される。
【００２８】
このため、ダイオード２３ａ，２３ｂを備えることによって生じる、パルス検出器１の動作電源電圧の低下を防ぐことができる。また、経時変化によりリチウム電池２１の出力電圧が放電終止電圧に近づいた場合や、リチウム電池２１の周囲温度が変化した場合などに、リチウム電池２１の電池出力電圧が低下しても、昇圧回路２４によって所定電圧に昇圧されるので、同様に、パルス検出器１の動作電源電圧の低下を防ぐことができる。
【００２９】
また、本実施形態のパルス検出器１によれば、リチウム電池２１の電池交換時、古いリチウム電池２１の出力配線２６ａ，２６ｂをコネクタ２２ａに接続させたままの状態で、古いリチウム電池２１を電池ホルダ２５から取り出し、新しいリチウム電池２１の出力配線２６ａ，２６ｂをコネクタ２２ｂに接続させたままの状態で、新しいリチウム電池２１を電池ホルダ２５に収容させることができる。このため、リチウム電池２１の電池交換の作業性が向上する。
【００３０】
なお、上記の実施形態では、リチウム電池２１の出力配線２６ａ，２６ｂが着脱自在に接続されるコネクタ２２ａ，２２ｂを２つ設けた場合について説明したが、コネクタ２２ａ，２２ｂは２つに限定されることはなく、２つ以上設けるように構成してもよい。例えば、図３の電源部１５に示すように、３つのコネクタ２２ａ，２２ｂ，２２ｃを設けるように構成してもよい。なお、同図において図２と同一または相当する部分には同一符号を付してその説明は省略する。
【００３１】
このような構成の場合においても、リチウム電池２１の電池交換時、３つのコネクタ２２ａ，２２ｂ，２２ｃのうちの２つに同時に古いリチウム電池２１と新しいリチウム電池２１とをそれぞれの出力配線２６ａ，２６ｂを介して接続してから、古いリチウム電池２１の出力配線２６ａ，２６ｂをコネクタ２２ａから抜き去ることで、パルス検出器１の動作電源を失うことなく、リチウム電池２１の電池交換をすることが可能になる。
【００３２】
また、電池ホルダ２５を回路基板１１にもう１つ設け、各電池ホルダ２５に収容された２つのリチウム電池２１の各出力配線２６ａ，２６ｂを３つのコネクタ２２ａ，２２ｂ，２２ｃのうちの２つに予め接続しておくことで、リチウム電池２１の電池容量を増やしながら、電池交換の態様を増やすことができる。
【００３３】
つまり、電池交換時、電池出力電圧の低下した一方のリチウム電池２１の出力配線２６ａ，２６ｂをいずれかのコネクタ２２ａ，２２ｂ，２２ｃから抜き去り、抜き去ったいずれかのコネクタ２２ａ，２２ｂ，２２ｃに単に新しいリチウム電池２１の出力配線２６ａ，２６ｂを接続させることで、パルス検出器１の動作電源を失うことなく、リチウム電池２１の電池交換をすることができる。また、電池交換時、使用されていないいずれか１つのコネクタ２２ａ，２２ｂ，２２ｃに新しいリチウム電池２１の出力配線２６ａ，２６ｂを接続させてから、古い２つのリチウム電池２１の各出力配線２６ａ，２６ｂをそれまで接続されていたいずれか２つのコネクタ２２ａ，２２ｂ，２２ｃから抜き去り、別の新しい１つのリチウム電池２１の各出力配線２６ａ，２６ｂを、抜き去ったいずれか２つのコネクタ２２ａ，２２ｂ，２２ｃのうちの１つに接続させることで、パルス検出器１の動作電源を失うことなく、リチウム電池２１の電池交換をすることができる。また、電池交換時、使用されていないいずれか１つのコネクタ２２ａ，２２ｂ，２２ｃに新しいリチウム電池２１の出力配線２６ａ，２６ｂを接続させてから、古い２つのリチウム電池２１のうちの出力電圧が低下した一方のリチウム電池２１の出力配線２６ａ，２６ｂを、それまで接続されていたいずれか１つのコネクタ２２ａ，２２ｂ，２２ｃから単に抜き去るだけでも、パルス検出器１の動作電源を失うことなく、リチウム電池２１の電池交換をすることができる。
【符号の説明】
【００３４】
１…パルス検出器
３…電子式電力量計
７…パルス検出線
８…ＣＴ
９…ケーブル
１１…回路基板
１２…パルス入力部
１３…計量値情報取得部
１４…無線送信部
１５…電源部
１６…アンテナ
２１…リチウム電池
２２ａ，２２ｂ，２２ｃ、２７…コネクタ
２３ａ，２３ｂ…ダイオード
２４…昇圧回路
２５…電池ホルダ
２６ａ，２６ｂ…出力配線
【図１】
2020112361.tif 000003
【図２】
2020112361.tif 000004
【図３】
2020112361.tif 000005